(57)【要約】【課題】  施工が容易であって、暑さを和らげて自然な涼しさを感じさせる、又は、寒さを和らげて暖かさを感じさせることができる、石の表面とした壁や床などを容易に構築することのできる板状の積層構造体を提供する。【解決手段】  本発明に係る石張り構造体は、断熱材による断熱材層21と板状のパネル受下地31とを一体とし、前記パネル受下地31に冷温熱媒配管37を有する放熱パネル35を張り付け、前記放熱パネル35に凝灰石の石板41が張り付けられることにより、表面に前記石板41を有する積層体とするものである。【選択図】    図２
2020029693.tif 000002
【特許請求の範囲】
【請求項１】
断熱材による断熱材層と板状のパネル受下地とを一体とし、前記パネル受下地に冷温熱媒配管を有する放熱パネルを張り付け、前記放熱パネルに凝灰石の石板が張り付けられることにより、表面に前記石板を有する積層体とされたことを特徴とする石張り構造体。
【請求項２】
前記パネル受下地は、建材用合板であることを特徴とする請求項１に記載した石張り構造体。
【請求項３】
前記放熱パネルは、前記冷温熱媒配管としての合成樹脂チューブを埋設したゴムチップのパネルであることを特徴とする請求項１又は請求項２に記載した石張り構造体。
【請求項４】
前記凝灰石は、大谷石であることを特徴とする請求項１乃至請求項３の何れかに記載した石張り構造体。
【請求項５】
前記断熱材層の一方の面に、前記パネル受下地、前記放熱パネル、前記石板を有し、前記断熱材層の他方の面に仕上げ材を有することを特徴とする請求項１乃至請求項４の何れかに記載した石張り構造体。
【請求項６】
前記仕上げ材は、化粧合板であることを特徴とする請求項５に記載した石張り構造体。
【請求項７】
前記断熱材層の両面に、夫々前記パネル受下地、前記放熱パネル、前記石板を有することを特徴とする請求項１乃至請求項４の何れかに記載した石張り構造体。
【請求項８】
前記断熱材層は、軸組材の間隙にウレタンフォーム又は発泡ポリスチレンを充填して形成されていることを特徴とする請求項５乃至請求項７の何れかに記載した石張り構造体。
【請求項９】
前記断熱材層は、根太材の間隙にウレタンフォーム又は発泡ポリスチレンを充填して形成されていることを特徴とする請求項５又は請求項６に記載した石張り構造体。
【請求項１０】
前記石板の上に床仕上げ用束又は根太を有し、更に床仕上げ用下地材及び表面仕上げ材を備えることを特徴とする請求項９に記載した石張り構造体。
【発明の詳細な説明】
【技術分野】
【０００１】
本発明は、壁や床に組み込まれて建物の壁や床の一部とされ、また、ベンチとされることなどもある、冷熱や温熱を放熱可能な石張り構造体に関するものである。
【背景技術】
【０００２】
今日、耐水性に優れた床構造体や壁構造体とされる建築用パネルの提案（例えば特許文献１）や、施工を正確且つ能率的に行うことを可能とする断熱パネルを用いる断熱壁構造の提案（例えば特許文献２）、更に、軸組材に対する組み付け施工を容易行えるようにする構造用パネルの提案（例えば特許文献３）など、建物の壁面や床面の構造構成に関する種々の提案が成されている。
【０００３】
また、これらの壁や床の提案には、壁や床からの輻射熱により冷暖房を行うことができるように、床に液体の冷熱媒を循環させる流路管と放冷熱パネルとを組み込む提案（例えば特許文献４）や、壁などの基盤にパイプを配設して表面に珪藻土又はゼオライトを主成分とする多孔質材層を設けることにより冷暖房パネルとする提案（例えば特許文献５）もなされている。
【先行技術文献】
【特許文献】
【０００４】
【特許文献１】特開２００７-１１３３２８号公報
【特許文献２】特開２００３-２７８２８９号公報
【特許文献３】特開平１１-１１７４３１号公報
【特許文献４】特開２００７-０６３８７７号公報
【特許文献５】特開２００１-０１２７６８号公報
【発明の概要】
【発明が解決しようとする課題】
【０００５】
今日、断熱性を備えた壁や床は、種々の板状構造体等により容易に組み立てや構築が行えるようになっているも、冷熱や温熱を放出する温度調整可能とされた壁や床は施工が困難となることが多かった。
【０００６】
また、壁や床による冷房を行う場合、壁面等に結露が生じることがあり、この結露対策も温度調整可能な壁面等の施工を困難とする要因でもあった。
【０００７】
本発明は、この様な欠点を排し、施工が容易であって、暑さを和らげて自然な涼しさを感じさせる、又は、寒さを和らげて暖かさを感じさせることができる、石の表面とした壁や床などを構築することを容易に可能とした平板状の積層構造体を提供するものである。
【課題を解決するための手段】
【０００８】
本発明に係る石張り構造体は、断熱材による断熱材層と板状のパネル受下地とを一体とし、前記パネル受下地に冷温熱媒配管を有する放熱パネルを張り付け、前記放熱パネルに凝灰石の石板が張り付けられることにより、表面に前記石板を有する積層体とされるものである。
【０００９】
そして、前記パネル受下地としては、建材用合板を用いることがある。
【００１０】
また、前記放熱パネルとしては、前記冷温熱媒配管としての合成樹脂チューブを埋設したゴムチップのパネルとされることがある。
【００１１】
更に、前記凝灰石の石板としては、大谷石の石板を用いることがある。
【００１２】
そして、前記断熱材層の一方の面に、前記パネル受下地、前記放熱パネル、前記石板を有し、前記断熱材層の他方の面に仕上げ材を有するようにすることがある。
【００１３】
更に、前記仕上げ材としては、化粧合板を用いることがある。
【００１４】
また、前記断熱材層の両面に、夫々前記パネル受下地、前記放熱パネル、前記石板を有することがある。
【００１５】
そして、前記断熱材層は、軸組材の間隙にウレタンフォーム又は発泡ポリスチレンを充填して形成されることがある。
【００１６】
また、前記断熱材層は、根太材の間隙にウレタンフォーム又は発泡ポリスチレンを充填して形成されることがある。
【００１７】
更に、前記石板の上に床仕上げ用束又は根太を有し、更に床仕上げ用下地材及び表面仕上げ材を設けることがある。
【発明の効果】
【００１８】
本発明に係る石張り構造体は、表面を石板として、断熱材層とパネル受下地と放熱パネルと石板とによる積層構造とされるものであるから、放熱パネルの冷温熱媒配管に低温の冷媒や温暖な熱媒を流すことにより、表面の石板から冷熱や温熱を放出させることができ、表面を凝灰石の石板とすることにより、冷熱の放出時に構造体表面に結露が生じることを防止できる。
【００１９】
また、パネル受下地として建材用合板を用いることにより、表面の石板と合わせて当該構造体の平板形状を容易に維持させることができる。
【００２０】
そして、放熱パネルとして合成樹脂チューブを埋設したゴムチップのパネルとすることにより、所定の形状とした冷温熱媒配管を全面に配設した放熱パネルを容易に形成して、所定の大きさ及び形状を有する構造体とすることができる。
【００２１】
また、石板として大谷石の石板を用いれば、所定の面積を有する所定形状の構造体を容易に形成することができる。
【００２２】
そして、断熱材層の一方の面に、パネル受下地、放熱パネル、石板を有し、他方の面に仕上げ材を有する構造体は、表面から冷熱や温熱を放出しつつ、裏面は断熱層により断熱し、且つ、仕上げ材により美麗な板状体とすることができる。
【００２３】
更に、仕上げ材としては、化粧合板を用いれば、容易且つ確実に美麗な裏面とすることができる。
【００２４】
また、断熱材層の両面に、パネル受下地、放熱パネル、石板を有する構造体は、表裏両面から冷熱や温熱を放出させることができる。
【００２５】
そして、断熱材層を軸組材の間隙にウレタンフォーム又は発泡ポリスチレンを充填して形成するものとすれば、軸組材により強固な構造体として容易に建物などの壁面を形成することができる。
【００２６】
また、断熱材層を根太材の間隙にウレタンフォーム又は発泡ポリスチレンを充填して形成するものとすれば、根太材により構造体を支持して容易に建物などの床面を形成することができる。
【００２７】
更に、床仕上げ用束又は根太を用いて表面仕上げ材を備える構造体とすれば、設置場所に合わせた適宜の床表面を容易に形成することができる。
【図面の簡単な説明】
【００２８】
【図１】本発明に係る石張り構造体を用いた体感空間モデルの概要図。
【図２】本発明に係る石張り構造体を用いた壁面体の一例を示す断面図。
【図３】本発明に係る石張り構造体を用いた壁面体の他の例を示す断面図。
【図４】本発明に係る石張り構造体を用いた床面体の一例を示す断面図。
【図５】本発明に係る石張り構造体を用いた床面体の他の例を示す断面図。
【図６】本発明に係る石張り構造体を用いた床面体の更に他の例を示す断面図。
【図７】本発明に係る石張り構造体を用いた側面壁を備える農業用ハウスの一例を示す図。
【図８】本発明に係る石張り構造体を用いたベンチの一例を示す断面模式図。
【図９】本発明に係る石張り構造体を用いた長椅子の一例を示す断面模式図。
【図１０】本発明に係る石張り構造体を用いた安全柵の一例を示す断面模式図。
【発明を実施するための形態】
【００２９】
本発明に係る石張り構造体は、石板を表面に備えて主に建物の壁や床を形成する積層構造体であって、熱媒を循環させる冷温熱媒配管を内蔵するものである。
【００３０】
この石張り構造体は、内蔵する冷温熱媒配管に７℃乃至１８℃程度の地下水や適宜の冷水（ブライン）を流し、表面の石板を１０℃程度として輻射熱等により涼しさを感じさせ、また、２５℃乃至４０℃程度の温水（ブライン）を流し、表面の石板を二十数℃乃至三十℃程度として輻射熱等により温かさを感じさせるものである。
【００３１】
この涼しさや温かさは、石板からの輻射熱や石板に触れることによる直接的な熱伝導等により感じさせることができるものであり、自然な感覚に近い涼しさや温かさを、石壁の近くで又は石床の上で感じさせることができることになるものである。
【００３２】
例えば、図１に示す様に、奥壁61と右側壁63及び左側壁65とする壁面体11による高さが約２．５ｍ、奥行き及び幅を約２ｍとする体感空間モデル60を構築し、十数℃の冷水を冷熱媒配管に流したとき、気温が３０℃前後の暑さであっても、右側壁63及び左側壁65の間に入ると、奥壁61や右側壁63及び左側壁65とした石壁からの冷気により、洞窟に入った時の感覚に似た涼しさを感じることができる。
【００３３】
尚、奥壁61の上端面や右側壁63及び左側壁65の上端面、前端面等の端面部は、金属板製の端部保護カバー69を取り付けて壁面体11の端面を保護しているものである。
【００３４】
また、奥壁61の下部に設けた座椅子ブロック67は、後述するベンチ90と略同様のものであり、座ると大腿部等に冷たさを感じ、涼しさを一層感じさせることができるものである。
【００３５】
この奥壁61と右側壁63及び左側壁65とする壁面体11を構成する石張り構造体10は、断熱材層と板状のパネル受下地である建材用合板と、ゴムチップによる放熱パネルと、による積層板に石板41を張り付けたものであり、ゴムチップパネルの放熱パネルには樹脂ホース等のチューブを埋設して石板41の裏面側に冷温熱媒配管として配設しているものである。
【００３６】
尚、この体感空間モデル60を形成する石張り構造体10は、剛性を有する板状体であるパネル受下地と表面の石板41とにより壁面を維持する強度を持たせているも、建屋の壁面又は壁面の一部に石の壁面を形成する場合、図２に示す様に、建屋の軸組材23を利用して断熱材層21を形成して壁面体11の剛性を確保することもできるものである。
【００３７】
即ち、この建屋の壁面体11を構築する場合の石張り構造体10としては、建屋の軸組材23の間隙にウレタンフォームを充填するようにして断熱材層21を形成し、この軸組材23を含む断熱材層21の一方の面に耐水性合板などの合板をパネル受下地31として軸組材23に固定することにより断熱材層21とパネル受下地31とを一体とし、このパネル受下地31とした合板にゴムチップパネルを放熱パネル35として張り付け、ゴムチップパネルの表面には蛇行させた溝をゴムチップパネルの全面に亘って形成し、冷温熱媒配管37とするポリエチレンチューブを蛇行溝に埋設し、このポリエチレンチューブの冷温熱媒配管37と接するように石板41をゴムチップパネルに張り付けるものである。
【００３８】
尚、断熱材層21の他方の面には、建屋の壁とする適宜の仕上げ材45を軸組材23に取り付けるものである。
【００３９】
また、図３に示す様に、軸組材23の間隙にウレタンフォームを充填した断熱材層21の両面にパネル受下地31としての合板を取り付け、このパネル受下地31の外表面に冷温熱媒配管37としてのポリエチレンチューブを埋設するゴムチップの放熱パネル35を張り付け、更に石板41を張り付けるようにして両面が石板41による石面とされた壁面体11とすることもある。
【００４０】
尚、断熱材としては、ウレタンフォームに限るものでなく、押し出し発泡ポリスチレンボードなどの発泡ポリスチレンやグラスウール等を用い、軸組材23の太さに合わせた厚み、又は３０ｍｍ乃至６０ｍｍ程度の適宜の厚みとし、断熱材により一定の厚みを有する平面状の断熱材層21を形成しているものである。
【００４１】
また、パネル受下地31とする合板は、厚さが９〜１５ｍｍ、幅が９００〜９１０ｍｍ、長さが１８００〜１８２０ｍｍの建材用合板の複数枚を突き合わせるように並べて壁面体11の基礎を形成するものである。
【００４２】
そして、放熱パネル35は、厚さを１５ｍｍ程度とする適宜の大きさのゴムチップパネルを突き合わせて所要の壁面とした壁面体11の全面に張り付け、この放熱パネル35の全面に亘って略均等に蛇行する深さ及び幅を１０ｍｍ程度とする溝を形成し、この溝に外径が１０ｍｍ程度のポリエチレンチューブ等の樹脂製ホースやチューブを冷温熱媒配管37として埋め込むことにより、放熱パネル35の表面に冷温熱媒配管37を埋設するものである。
【００４３】
また、石板41は凝灰石である大谷石の石板41であって、厚さが１５〜２０ｍｍの石板41の所要枚数を用い、冷温熱媒配管37としたポリエチレンチューブを石板41によりゴムチップパネルの溝に押し込むようにして、冷温熱媒配管37に石板41の裏面を接触させつつゴムチップパネルの全面に石板41を張り付け、壁面体11の表面に石材を配置するようにした積層体としているものである。
【００４４】
この様に、パネル受下地31とする建材用合板の一方の面に断熱材による断熱材層21を形成し、他方の面には冷温熱媒配管37を備える放熱パネル35を張り付け、この放熱パネル35の表面に石板41を張り付けた石張り構造体10は、容易に石壁を構築することができ、石板41及び放熱パネル35の裏側に断熱材層21を備える故、冷温熱媒配管37を循環させる冷熱媒又は温熱媒の熱を効率良く石板41から放出させることができる。
【００４５】
そして、当該石張り構造体10の表面に張り付ける凝灰石は、冷温熱媒配管37に低温の熱媒を循環させて冷房を行うに際し、石張り構造体10の表面に結露が生じ難く、結露対策を必要とすることなく冷熱や温熱を放出する壁面とすることができるものである。
【００４６】
更に、大谷石は、石壁等に多く使用される凝灰石であって、構築物への加工が容易であり、見慣れた壁面体11や床面体13とすることができ、自然な涼しさや温かさを近くで感じさせることができるものである。
【００４７】
また、放熱パネル35は、厚さを１５ｍｍ程度としたゴムチップパネルを用いているため、幅及び深さを１０ｍｍ程度とする溝を容易に放熱パネル35の全面に形成することができ、冷温熱媒配管37としてポリエチレンチューブ等の樹脂ホースやチューブを用いるため、蛇行させた溝に合わせてこの溝に容易に嵌め込んで石張り構造体10の内部において石張り構造体10の全面に冷温熱媒配管37を配設することが容易に可能となるものである。
【００４８】
尚、放熱パネル35の表面に石板41を張り付けるに際し、放熱パネル35の表面にメタルラス等のラスを張り付けてから石板41を張り付けることもある。
【００４９】
そして、この石張り構造体10により床面を構築して床面体13とするときは、図４に示す様に、根太材25の間隙にウレタンフォーム等を充填して断熱材層21を形成し、断熱材層21の上にパネル受下地31とする合板を施設して固定し、放熱パネル35とするゴムチップパネルを張り、冷温熱媒配管37を配設して石板41を敷詰めて石畳の床面体13とするものである。
【００５０】
尚、断熱材層21の下面は、現場に合わせて適宜の仕上げ材45を張り付けるものである。
【００５１】
また、断熱材層21は、根太材25の間隙に充填して形成する場合に限るものでなく、在来の床面の上に、又は基礎コンクリート等の上に、ウレタンフォームや発泡ポリスチレンボード等の断熱材を敷詰めて断熱材層21とし、この断熱材層21の上にパネル受下地31、放熱パネル35、石板41を配置して石畳床の床面体13とすることもある。
【００５２】
更に、図５に示す様に、断熱材層21の下面は仕上げ材45とし、断熱材層21、パネル受下地31、放熱パネル35、石板41による石張り構造体10の上面に、床仕上げ用束51又は床仕上げ用根太を組み、床仕上げ用下地材53及び表面仕上げ板55を敷詰めた床面を構築し、現場に合わせた適宜の床表面に仕上げることもある。
【００５３】
また、図６に示す様に、石張り構造体10による床面体13の上にすのこ57を敷いて石張り構造体10による床の表面を保護するようにすることもある。
【００５４】
そして、この様な壁面体11や床面体13を形成する石張り構造体10は、住居等の建屋内の閉鎖的空間に近い空間を形成する壁や床を構築する場合に限るものでなく、比較的開放的空間とされる公会堂や病院、ホテル、駅舎などのロビーやホールの壁面、柱壁、又は床、更には解放空間である公園における壁や石畳を構築する場合に用いることもある。
【００５５】
更に、図７に示す様に、農業用ハウス70の内側に沿ってハウス内の周囲を囲む側面壁85として当該石張り構造体10を用いることもある。
【００５６】
この農業用ハウス70は、地面71を掘り下げてハウス内のハウス床83を地面71よりも低くし、周囲に土留め壁81を有して骨組みパイプ75により農業用ハウス70を組み立ててカバーシート77を張り、ハウスの外周に排水溝73を設けた半地下型の農業用ハウス70であって、ハウス内の栽培植物87の高さ程度の高さの側面壁85を形成するように石張り構造体10をハウス内の周縁に沿って配置するものである。
【００５７】
尚、この場合、側面壁85の外側はアクリル板などの適宜の仕上げ材45とし、断熱材層21、パネル受下地31、放熱パネル35を挟んで内側面を石板41による壁面とするものである。
【００５８】
そして、側面壁85の上端部にも石板41を載せるように固定し、石張り構造体10の端面部を保護するようにしているものである。尚、側面壁85とした石張り構造体10の端面部は、石板41でなく金属板等による端部保護カバー69により覆うようにすることもある。
【００５９】
この様に農業ハウス内で栽培する栽培植物87の高さ程度以上の高さを有する側面壁85を石張り構造体10で構築すれば、夏場等に低温の熱媒を冷温熱媒配管37に流すことにより、ハウス内の植物周辺の空気温度を栽培に適した温度に調整すると共に、農作業従事者に適温を感じさせることが容易に可能となる。
【００６０】
尚、農業用ハウス70としては、図７に示したように半地下型の農業用ハウス70に限ることなく、地上に組み立てた通常の農業用ビニールハウスであっても栽培植物87と同程度の高さの側面壁85により栽培植物87の全体を囲う様にハウス内周縁に設けることにより、育成を最適に行うと共に、農作業従事者に適温を感じさせることができる。
【００６１】
また、半地下型の農業用ハウス70の場合、図７に示したハウスでは土留め壁81の内側に当該石張り構造体10による側面壁85を形成しているも、石張り構造体10により土留め壁81を構築して半地下型の農業用ハウス70とすることもある。
【００６２】
更に、この石張り構造体10は、建屋内の壁面体11や床面体13とする場合のみでなく、ベンチ90等の座板91や背板97とすることもある。
【００６３】
即ち、図８に示す様に、化粧合板である仕上げ材45の上に断熱材層21、パネル受下地31としての合板、放熱パネル35、大谷石の石板41を積層した石張り構造体10により座板91を形成し、この座板91の四隅には脚93を設けるものとし、例えば前後幅４５ｃｍ程度、横幅１８０ｃｍ程度のベンチ90とすることがある。
【００６４】
尚、座板91とした石張り構造体10の周囲端面は、適宜の端部保護カバー69を取り付けることも可能であるが、座板91の下に延びる４本の脚93の間の周囲に沿って石板41を固定し、図１に示した座椅子ブロック67の様に高さ４０ｃｍ程度にして前後幅４５ｃｍ程度、横幅１８０ｃｍ程度の石の直方体ブロックに見せるようにして、座板91の周囲端面も石板41により覆い隠すことが好ましい。
【００６５】
また、放熱パネル35に埋設した冷温熱媒配管37の端部は、当該ベンチ90を配置する床や地面に埋設した配管により低温の冷熱媒供給装置や中温の温熱媒供給装置に接続するものである。
【００６６】
更に、当該石張り構造体10により座板91を形成する場合のみでなく、背板を有する長椅子であっても、図９に示す様に、座板91と共に背板97を石張り構造体10とした長椅子95とすることもできる。
【００６７】
尚、背板97とする石張り構造体10の背面は、仕上げ材45としてアクリルボードや適宜の化粧合板を用いることもできるが、石製の長椅子95に見せるため、背板97の背面も石板41を用いることが好ましい。
【００６８】
また、図９に示した長椅子95における背板97の端面は、金属板製等の端部保護カバー69を使用しているも、適宜の形状及び大きさとした石板41を用いて石張り構造体10の端面を覆うようにすることもできる。
【００６９】
そして、ベンチ90や長椅子95の座板91に当該石張り構造体10を用いる場合、座板91の強度をパネル受下地31とする合板や石板41で保つようにする場合のみでなく、断熱材層21に鉄パイプ等の鋼材を組み込み、座板91の強度を確保するようにすることもある。
【００７０】
また、ベンチ90は前後幅が数十ｃｍ、横幅長さが数ｍ程度のものに限ることなく、競技場等の観戦スタンドに設けるベンチの様に、長さが１０ｍ程度とされるベンチ等の場合にも当該石張り構造体10を用いることもできる。
【００７１】
更には、図１０に示す様に、種々の施設の通路107等に設けた手摺101に取り付けて防護柵100とすることもできる。
【００７２】
この場合は、手摺101の支柱103に取付け具105を用いて仕上げ材45としての化粧合板を固定し、断熱材層21、パネル受下地31、放熱パネル35、石板41による石張り構造体10を防護柵100とするものであって、この防護柵100とした石張り構造体10の端面は、適宜、端部保護カバー69により保護するものである。
【００７３】
尚、冷温熱媒配管37を循環させる低温の冷熱媒は、地下水を用いる場合の他、適宜の冷却装置により７℃乃至１８℃とするブラインを用いるものであり、中温の熱媒としては、適宜の加温装置により２５℃乃至４０℃程度としたブラインを用いるものである。
【００７４】
この様に、本実施の形態に係る石張り構造体10は、パネル受下地31や石板41等により平板状体とされて表面を石板41とし、パネル受下地31と石板41との間に冷温熱媒配管37を有する放熱パネル35を有し、パネル受下地31の逆の面には断熱材層21を有する積層体であるから、冷温熱媒配管37を循環させる冷媒又は温熱媒の冷熱又は温熱を表面の石板41から放出させ、穏やかな冷気又は温熱気によって自然な感じに近い涼しさや温かさを石張り構造体10の近くの人に感じさせることができ、石板41を凝灰石の石板として低温の熱媒を循環させるときも結露が生じないようにすることができるものである。
【００７５】
また、大谷石等の凝灰石を用いれば、表面温度を低温としながら結露しない状態を保持することができ、直接に石板41に触れても濡れることがなく低温を感じさせることができ、輻射熱だけでなく、直接的な熱伝導をも実感させ、身体の一部を直接冷やすこともできる。
【００７６】
このため、少ない熱エネルギーで低温熱を効果的に伝えることができ、温熱に関しても同様に輻射熱及び熱伝導により効率良く温かさを感じさせることができるものである。
【産業上の利用可能性】
【００７７】
本発明の実施の形態とした石張り構造体10は、表面を石板41により構成した積層体であって内部に冷温熱媒配管37を備えるため、表面の石板41から冷熱又は温熱を放出させ、暑さ寒さを緩めて自然な涼しさや温かさに近い感覚を、当該石張り構造体10の近くの人に与えることのできる壁面や床面などを容易に構築することができるものである。
【符号の説明】
【００７８】
１０  石張り構造体
１１  壁面体                            １３  床面体
２１  断熱材層                          ２３  軸組材
２５  根太材                            ３１  パネル受下地
３５  放熱パネル                        ３７  冷温熱媒配管
４１  石板                              ４５  仕上げ材
５１  床仕上げ用束                      ５３  床仕上げ用下地材
５５  表面仕上げ板                      ５７  すのこ
６０  体感空間モデル
６１  奥壁                              ６３  右側壁
６５  左側壁                            ６７  座椅子ブロック
６９  端部保護カバー
７０  農業用ハウス
７１  地面                              ７３  排水溝
７５  骨組みパイプ                      ７７  カバーシート
８１  土留め壁                          ８３  ハウス床
８５  側面壁                            ８７  栽培植物
９０  ベンチ
９１  座板                              ９３  脚
９５  長椅子                            ９７  背板
１００  防護柵
１０１  手摺                            １０３  支柱
１０５  取付け具                        １０７  通路
【図１】
2020029693.tif 000003
【図２】
2020029693.tif 000004
【図３】
2020029693.tif 000005
【図４】
2020029693.tif 000006
【図５】
2020029693.tif 000007
【図６】
2020029693.tif 000008
【図７】
2020029693.tif 000009
【図８】
2020029693.tif 000010
【図９】
2020029693.tif 000011
【図１０】
2020029693.tif 000012
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
断熱材による断熱材層と板状のパネル受下地とを一体とし、前記パネル受下地とする建材用合板に冷温熱媒配管を有する放熱パネルを張り付け、前記放熱パネルは、前記冷温熱媒配管として外径が１０ｍｍ程度の合成樹脂チューブを埋設した厚さを１５ｍｍ程度とするゴムチップのパネルであり、前記放熱パネルの前記冷温熱媒配管を埋設した面に厚さ１５〜２０ｍｍの大谷石の石板が張り付けられることにより、表面に前記石板を有する積層体とされたことを特徴とする石張り構造体。
【請求項２】
前記パネル受下地とした建材用合板は、厚さを９〜１５ｍｍとすることを特徴とする請求項１に記載した石張り構造体。
【請求項３】
前記断熱材層の厚さは３０ｍｍ乃至６０ｍｍとすることを特徴とする請求項１又は請求項２に記載した石張り構造体。
【請求項４】
前記断熱材層の一方の面に、前記パネル受下地、前記放熱パネル、前記石板を有し、前記断熱材層の他方の面に仕上げ材を有することを特徴とする請求項１乃至請求項３の何れかに記載した石張り構造体。
【請求項５】
前記仕上げ材は、化粧合板であることを特徴とする請求項４に記載した石張り構造体。
【請求項６】
前記断熱材層の両面に、夫々前記パネル受下地、前記放熱パネル、前記石板を有することを特徴とする請求項１乃至請求項３の何れかに記載した石張り構造体。
【請求項７】
前記断熱材層は、軸組材の間隙にウレタンフォーム又は発泡ポリスチレンを充填して形成されていることを特徴とする請求項４乃至請求項６の何れかに記載した石張り構造体。
【請求項８】
前記断熱材層は、根太材の間隙にウレタンフォーム又は発泡ポリスチレンを充填して形成されていることを特徴とする請求項４又は請求項５に記載した石張り構造体。
【請求項９】
前記石板の上に床仕上げ用束又は根太を有し、更に床仕上げ用下地材及び表面仕上げ材を備えることを特徴とする請求項８に記載した石張り構造体。
【手続補正２】
【補正対象書類名】明細書
【補正対象項目名】０００８
【補正方法】変更
【補正の内容】
【０００８】
本発明に係る石張り構造体は、断熱材による断熱材層と板状のパネル受下地とを一体とし、前記パネル受下地とする建材用合板に冷温熱媒配管を有する放熱パネルを張り付け、前記放熱パネルは、前記冷温熱媒配管として外径が１０ｍｍ程度の合成樹脂チューブを埋設した厚さを１５ｍｍ程度とするゴムチップのパネルであり、前記放熱パネルの前記冷温熱媒配管を埋設した面に厚さ１５〜２０ｍｍの大谷石の石板が張り付けられることにより、表面に前記石板を有する積層体とされるものである。
【手続補正３】
【補正対象書類名】明細書
【補正対象項目名】０００９
【補正方法】変更
【補正の内容】
【０００９】
そして、前記パネル受下地とした建材用合板は、厚さを９〜１５ｍｍとすることがある。
【手続補正４】
【補正対象書類名】明細書
【補正対象項目名】００１０
【補正方法】変更
【補正の内容】
【００１０】
また、前記断熱材層の厚さは３０ｍｍ乃至６０ｍｍとすることがある。
【手続補正５】
【補正対象書類名】明細書
【補正対象項目名】００１１
【補正方法】削除
【補正の内容】
【手続補正６】
【補正対象書類名】明細書
【補正対象項目名】００１８
【補正方法】変更
【補正の内容】
【００１８】
本発明に係る石張り構造体は、表面を厚さが１５〜２０ｍｍの大谷石の石板とし、断熱材層とパネル受下地と厚さが１５ｍｍ程度の放熱パネルと石板とによる積層構造とされるものであるから、放熱パネルの外径を１０ｍｍ程度とした冷温熱媒配管に低温の冷媒や温暖な熱媒を流すことにより、表面の石板から冷熱や温熱を放出させることができ、一般的な建材、木材、硝子、金属板、コンクリート材などでは冷熱を流した場合には通常の室内環境では表面に結露が生じるが、表面を大谷石の石板とすることにより、冷熱の放出時に構造体表面に結露が生じることを防止できる。
【手続補正７】
【補正対象書類名】明細書
【補正対象項目名】００２０
【補正方法】変更
【補正の内容】
【００２０】
そして、放熱パネルとして合成樹脂チューブを埋設した厚さが１５ｍｍ程度とされるゴムチップのパネルとすることにより、所定の形状とした外径が１０ｍｍ程度の冷温熱媒配管を全面に配設した放熱パネルを容易に形成して、所定の大きさ及び形状を有する構造体とすることができる。
【手続補正８】
【補正対象書類名】明細書
【補正対象項目名】００２１
【補正方法】削除
【補正の内容】